(57)【要約】【課題】電話帳に含まれる所定の区分を指定して通信相手を手動検索する場合において、手動検索にかかる手間及び時間を削減することが可能な通信装置を提供する。【解決手段】本発明の通信装置は、通信相手の名称を示す名称情報を一覧表示する表示制御部を備えている。表示制御部は、第一動作モード又は第二動作モードで動作する。第一動作モードでは、通信履歴情報が示す通信相手毎の通信実施回数に基づいて決定した表示順で、名称情報を一覧表示する。第二動作モードでは、複数の名称情報を予め定められた区分に分別し、区分の選択指示を受け付ける。そして指示された区分に含まれる名称情報を、通信履歴情報が示す通信実施回数に基づいて決定した表示順で一覧表示する。表示制御部は、名称情報の一覧表示指示を受け付けた場合に、第一動作モードで動作し、第一動作モードで動作中に所定の操作を受け付けた場合に、第二動作モードに移行する。【選択図】図１
2010200095.tif 000002
【特許請求の範囲】
【請求項１】
通信網に接続して通信を行う通信部と、
情報の表示を行う表示部と、
通信相手に関する情報である通信相手情報を記録する記録部と、
前記通信部が実施した通信の履歴を示す通信履歴情報を生成して前記記録部に記録する履歴情報生成部と、
通信相手の名称を示す名称情報を前記通信相手情報から取得し、前記名称情報を一覧表示するよう前記表示部を制御する表示制御部とを備えた通信装置において、
前記表示制御部が、前記通信履歴情報が示す通信相手毎の通信実施回数に基づいて決定した表示順で前記名称情報を一覧表示するよう前記表示部を制御する第一動作モードと、
複数の前記名称情報を予め定められた複数の区分に分別し、前記区分の選択指示を受け付け、指示された前記区分に含まれる前記名称情報を、前記通信履歴情報が示す通信相手毎の通信実施回数に基づいて決定した表示順で一覧表示するよう前記表示部を制御する第二動作モードとを備えることを特徴とする通信装置。
【請求項２】
前記通信装置に対する指示入力の受け付けを行う入力部を備え、
前記表示制御部が、前記名称情報の一覧表示指示を前記入力部により受け付けた場合に前記第一動作モードで動作し、
前記表示制御部が、前記区分を指定する指示入力を前記入力部により受け付けた場合に前記第二動作モードに移行し、前記指示入力により指定された前記区分に含まれる前記名称情報を、前記通信履歴情報が示す通信相手毎の通信実施回数に基づいて決定した表示順で一覧表示するよう前記表示部を制御する、請求項１に記載の通信装置。
【請求項３】
前記入力部が選択キーを含み、
前記表示制御部が、前記第一動作モードで動作中、且つ前記選択キーの押下を検知した場合に前記第二動作モードに移行し、押下された前記選択キーの種別及び押下回数に基づいて決定した前記区分に含まれる前記名称情報を、前記通信履歴情報が示す通信相手毎の通信実施回数に基づいて決定した表示順で一覧表示するよう前記表示部を制御する、請求項２に記載の通信装置。
【請求項４】
前記入力部がテンキーを含み、
前記表示制御部が、前記第一動作モードで動作中、且つ前記テンキーの押下を検知した場合に前記第二動作モードに移行し、押下された前記テンキーに予め関連付けられている区分に含まれる前記名称情報を、前記通信履歴情報が示す通信相手毎の通信実施回数に基づいて決定した表示順で一覧表示するよう前記表示部を制御する、請求項２に記載の通信装置。
【請求項５】
前記表示制御部が前記第二動作モードへ移行するのを許可するか否かの設定を受け付ける設定部を備え、
前記表示制御部が、前記設定部により前記第二動作モードへの移行が禁止されており、且つ前記区分を指定する指示入力を前記入力部により受け付けた場合に、前記指示入力により指定された前記区分に含まれる前記名称情報を、予め定められた表示順に一覧表示するよう前記表示部を制御する、請求項２に記載の通信装置。
【請求項６】
前記表示制御部が、前記第二動作モードにおいて、前記通信履歴情報が示す通信相手毎の発呼回数、着呼回数、情報送信回数、及び情報受信回数のいずれかに基づいて決定した表示順で前記名称情報を一覧表示するよう前記表示部を制御する、請求項１〜請求項５のいずれかに記載の通信装置。
【請求項７】
少なくともあ行〜わ行までの氏名と電話番号を対応付けて格納可能な電話帳メモリを有し、
前記電話帳メモリに格納されている氏名と電話番号を表示する際に、
前記電話帳メモリに格納されている全ての相手先の氏名と電話番号を一覧で表示する第１のモードと、あ行〜わ行の各行毎に一覧を表示する第２のモードを、選択して表示することが可能であることを特徴とする通信装置。
【請求項８】
少なくともあ行〜わ行までの氏名と電話番号を対応付けて格納可能な電話帳メモリを有し、
前記電話帳メモリに格納されている氏名と電話番号を表示する際に、
前記電話帳メモリに格納されている全ての相手先の氏名と電話番号を通信回数順に一覧表示する第１のモードと、あ行〜わ行の各行毎にあいうえお順に一覧表示する第２のモードを、選択して表示することが可能であることを特徴とする通信装置。
【請求項９】
少なくともあ行〜わ行までの氏名と電話番号を対応付けて格納可能な電話帳メモリを有し、
前記電話帳メモリに格納されている氏名と電話番号を表示する際に、
前記電話帳メモリに格納されている全ての相手先の氏名と電話番号をあいうえお順に一覧表示する第１のモードと、あ行〜わ行の各行毎に通信回数順に一覧表示する第２のモードを、選択して表示することが可能であることを特徴とする通信装置。
【請求項１０】
少なくともあ行〜わ行までの氏名と電話番号を対応付けて格納可能な電話帳メモリを有し、
前記電話帳メモリに格納されている氏名を一覧表示する際に、通信回数順に表示するかあいうえお順に表示するかを選択可能であることを特徴とする通信装置。
【発明の詳細な説明】
【技術分野】
【０００１】
本発明は、通信網に接続されて通信を行う通信装置に関するものであり、特に通信相手の情報を表示する電話帳機能を備えた通信装置に関する。
【背景技術】
【０００２】
近年、通信インフラの発達により、通信装置に様々な機能が付加されるようになっている。例えば通信装置においては、通話機能の他に、通信相手の電話番号やメールアドレス等を、通信相手の氏名に基づいて表示する電話帳機能を備えた通信装置が実用化されている。
【０００３】
電話帳機能は、例えば通信相手の氏名を五十音順に一覧表示する。そしてこの画面で氏名が選択された場合に、予め氏名に関連付けられて記録されている電話番号や電子メールアドレス等を画面に表示する。これによりユーザは、通信相手の氏名を選択するだけで、発呼等を簡易な操作で行うことができる。
【０００４】
上記に関連して特許文献１においては、電話帳ファイルから通信相手の電話番号を表示させて発呼させる場合に、発呼実績メモリの内容から通信相手を選択して、対応する通信相手の電話番号情報を表示させる電話端末の発呼方法が開示されている。通信相手の発呼実績を記録する発呼実績メモリを設け、制御部が、発呼実績メモリから通信相手の名称を読み取って表示部に表示させ、選択された通信相手の名称に対応する電話番号を電話帳ファイルから読み取って発呼させる。
【０００５】
また特許文献２においては、携帯電話或いは自動車電話によって発呼動作を行わない場合であっても、頻繁に呼び出される電話帳情報が先に呼び出される電話帳情報呼出装置が開示されている。従って、発呼動作を行わない場合であっても、電話帳情報の呼び出し順が、呼び出される回数が多い順に並べ替えられる。
【先行技術文献】
【特許文献】
【０００６】
【特許文献１】特開２００３−２７４００２号公報
【特許文献２】特開２０００−２５３１２８号公報
【発明の概要】
【発明が解決しようとする課題】
【０００７】
特許文献１の発呼方法によれば、発呼実績のある通信相手の電話番号を表示させて発呼させることができる。また特許文献２の電話帳情報呼出装置によれば、電話帳情報の呼び出しを行うのみで、別の固定電話等から電話をかけるような場合であっても、多数登録された電話帳情報の中から、頻繁に使う電話帳情報を素速く呼び出すことができ、電話帳情報の呼び出し時間を短縮することができる。
【０００８】
しかしながら、上記のような従来の通信装置においては、電話帳に登録されている全通信相手を過去の通信実施回数順で並べて一覧表示することはできるが、電話帳から手動で所望の通信相手を探す手動検索時には、上記の通信実施回数順による表示は行われなかった。例えば所望の通信相手が五十音におけるア行で始まる名称をしており、且つユーザ操作によりア行の電話帳が表示されたとする。この場合、過去の通信実施回数にかかわらず、ユーザはア行に含まれる通信相手を手動で順次参照しなければならなかった。
【０００９】
本発明は、上記の問題を解決するためになされたものであって、電話帳に含まれる所定の区分を指定して通信相手を手動検索する場合において、手動検索にかかる手間及び時間を削減することが可能な通信装置を提供することにある。
【課題を解決するための手段】
【００１０】
上記目的を達成するために本発明の通信装置は、通信網に接続して通信を行う通信部と、情報の表示を行う表示部と、通信相手に関する情報である通信相手情報を記録する記録部と、前記通信部が実施した通信の履歴を示す通信履歴情報を生成して前記記録部に記録する履歴情報生成部と、通信相手の名称を示す名称情報を前記通信相手情報から取得し、前記名称情報を一覧表示するよう前記表示部を制御する表示制御部とを備えた通信装置において、前記表示制御部が、前記通信履歴情報が示す通信相手毎の通信実施回数に基づいて決定した表示順で前記名称情報を一覧表示するよう前記表示部を制御する第一動作モードと、複数の前記名称情報を予め定められた複数の区分に分別し、前記区分の選択指示を受け付け、指示された前記区分に含まれる前記名称情報を、前記通信履歴情報が示す通信相手毎の通信実施回数に基づいて決定した表示順で一覧表示するよう前記表示部を制御する第二動作モードとを備えることを特徴としている。
【００１１】
この構成によると、本発明の通信装置は、通信部及び表示部を備えている。また、通信相手に関する情報、例えば通信相手の氏名や電話番号等を含む通信相手情報を記録する記録部を備えている。また、通信部の通信履歴から通信履歴情報を生成して記録部に記録する履歴情報生成部を備えている。また、通信相手情報に含まれる通信相手の名称、例えば氏名や会社名を示す名称情報を記録部から読み出し、名称情報を一覧表示する表示制御部を備えている。表示制御部は、少なくとも第一動作モード及び第二動作モードを含む複数の動作モードで動作する。第一動作モードでは、通信履歴情報が示す通信相手毎の通信実施回数に基づいて決定した表示順で、名称情報を一覧表示する。これにより例えば通信実施回数が多い順や、通信実施回数が少ない順等で一覧表示される。第二動作モードでは、複数の名称情報を予め定められた区分、例えば五十音におけるア行（あ、い、う、え、お）やカ行（か、き、く、け、こ）等のように行毎の区分に分別し、区分の選択指示を受け付ける。そして指示された区分に含まれる名称情報を、通信履歴情報が示す通信実施回数に基づいて決定した表示順で一覧表示する。これにより例えば、ア行が選択された場合、あ〜おで始まる氏名が、発呼回数順等により一覧表示される。
【００１２】
前記通信装置に対する指示入力の受け付けを行う入力部を備え、前記表示制御部が、前記名称情報の一覧表示指示を前記入力部により受け付けた場合に前記第一動作モードで動作し、前記表示制御部が、前記区分を指定する指示入力を前記入力部により受け付けた場合に前記第二動作モードに移行し、前記指示入力により指定された前記区分に含まれる前記名称情報を、前記通信履歴情報が示す通信相手毎の通信実施回数に基づいて決定した表示順で一覧表示するよう前記表示部を制御する。
【００１３】
この構成によると、本発明の通信装置は、通信装置に対する指示入力の受け付けを行う入力部を備えている。表示制御部は、名称情報の一覧表示指示を入力部により受け付けた場合に、第一動作モードで動作する。また表示制御部は、第一動作モードで動作中に所定の操作を入力部により受け付けた場合に、第二動作モードに移行する。そして所定の操作により指定された区分に含まれる名称情報を、通信相手毎の通信実施回数順で一覧表示する。これによりユーザは、第一動作モードと第二動作モードの切り替えを入力部により行うことが可能である。
【００１４】
また上記目的を達成するために、前記入力部が選択キーを含み、前記表示制御部が、前記第一動作モードで動作中、且つ前記選択キーの押下を検知した場合に前記第二動作モードに移行し、押下された前記選択キーの種別及び押下回数に基づいて決定した前記区分に含まれる前記名称情報を、前記通信履歴情報が示す通信相手毎の通信実施回数に基づいて決定した表示順で一覧表示するよう前記表示部を制御する。
【００１５】
この構成によると、入力部は十字キーや左右キーのように、複数の異なる操作を行うことが可能な選択キーを含むように構成されている。表示制御部は、第一動作モードで動作中に所定の選択キーの押下を検知すると、第二動作モードに移行する。そして押下された選択キーの種別及び押下回数に基づいて決定した区分に含まれる名称情報を、通信相手毎の通信実施回数順で一覧表示する。これにより例えば、十字キーの右が一回押下された場合にア行の氏名を、二回押下された場合にカ行の氏名を、通信実施回数順に一覧表示させることが可能である。
【００１６】
また上記目的を達成するために、前記入力部が選択キーを含み、前記表示制御部が、前記第一動作モードで動作中、且つ前記選択キーの押下を検知した場合に前記第二動作モードに移行し、押下された前記選択キーの種別及び押下回数に基づいて決定した前記区分に含まれる前記名称情報を、前記通信履歴情報が示す通信相手毎の通信実施回数に基づいて決定した表示順で一覧表示するよう前記表示部を制御する。
【００１７】
この構成によると、入力部は複数のテンキーを含むように構成されている。表示制御部は、第一動作モードで動作中にテンキーの押下を検知すると、第二動作モードに移行する。そして押下されたテンキーに予め関連付けられている区分に含まれる名称情報を、通信相手毎の通信実施回数順で一覧表示する。これにより例えば、テンキーに含まれる「１」キーがア行に関連付けられている場合、ユーザは「１」キーを押下することにより、あ〜おで始まる氏名を通信実施回数順に一覧表示させることが可能である。
【００１８】
また上記目的を達成するために、前記表示制御部が前記第二動作モードへ移行するのを許可するか否かの設定を受け付ける設定部を備え、前記表示制御部が、前記設定部により前記第二動作モードへの移行が禁止されており、且つ前記区分を指定する指示入力を前記入力部により受け付けた場合に、前記指示入力により指定された前記区分に含まれる前記名称情報を、予め定められた表示順に一覧表示するよう前記表示部を制御する。
【００１９】
この構成によると、本発明の通信装置は、表示制御部が第二動作モードへの移行することを許可するか否かの設定を受け付ける設定部を備えている。設定部により第二動作モードへの移行が禁止されている状態で第二動作モードへの移行指示を受け付けた場合、表示制御部は指示入力により指定された区分に含まれる名称情報を所定の表示順、例えば五十音順に一覧表示する。つまり、通信実施回数に基づいた表示順による一覧表示を行わない。
【００２０】
また上記目的を達成するために、前記表示制御部が、前記第二動作モードにおいて、前記通信履歴情報が示す通信相手毎の発呼回数、着呼回数、情報送信回数、及び情報受信回数のいずれかに基づいて決定した表示順で前記名称情報を一覧表示するよう前記表示部を制御する。
【００２１】
この構成によると、表示制御部は第二動作モードにおいて、通信履歴情報が示す通信相手毎の発呼回数、着呼回数、情報送信回数、及び情報受信回数のいずれかに基づいて決定した表示順で一覧表示する。このため例えば、通信相手情報に含まれる名称情報を区分毎に発呼回数の多い順で一覧表示したり、区分毎に発呼回数と電子メール送信回数（＝情報送信回数）との合計が多い順で一覧表示したりすることが可能である。
【００２２】
また、少なくともあ行〜わ行までの氏名と電話番号を対応付けて格納可能な電話帳メモリを有し、前記電話帳メモリに格納されている氏名と電話番号を表示する際に、前記電話帳メモリに格納されている全ての相手先の氏名と電話番号を一覧で表示する第１のモードと、あ行〜わ行の各行毎に一覧を表示する第２のモードを、選択して表示することが可能であることを特徴とする。
【００２３】
また、少なくともあ行〜わ行までの氏名と電話番号を対応付けて格納可能な電話帳メモリを有し、前記電話帳メモリに格納されている氏名と電話番号を表示する際に、前記電話帳メモリに格納されている全ての相手先の氏名と電話番号を通信回数順に一覧表示する第１のモードと、あ行〜わ行の各行毎にあいうえお順に一覧表示する第２のモードを、選択して表示することが可能であることを特徴とする。
【００２４】
また、少なくともあ行〜わ行までの氏名と電話番号を対応付けて格納可能な電話帳メモリを有し、前記電話帳メモリに格納されている氏名と電話番号を表示する際に、前記電話帳メモリに格納されている全ての相手先の氏名と電話番号をあいうえお順に一覧表示する第１のモードと、あ行〜わ行の各行毎に通信回数順に一覧表示する第２のモードを、選択して表示することが可能であることを特徴とする。
【００２５】
また、少なくともあ行〜わ行までの氏名と電話番号を対応付けて格納可能な電話帳メモリを有し、前記電話帳メモリに格納されている氏名を一覧表示する際に、通信回数順に表示するかあいうえお順に表示するかを選択可能であることを特徴とする。
【発明の効果】
【００２６】
本発明の構成によれば、通信相手の名称情報を所定の区分、例えば五十音を子音により分別したア行、カ行等の行単位での区分により表示する通信装置において、発呼回数や着呼回数の多い順、つまり通信を頻繁に行う順に並べ替えて名称情報を表示する。このため、ユーザが所望の名称情報を手動検索するのにかかる時間や手間を削減することができる。
【００２７】
また本発明の構成によれば、左右キーやテンキー等を用いて、第二動作モードへの移行及び名称情報の区分の指定を行う。このため、第二動作モードへの切り替えを容易に行うことができるとともに、切り替え後に所望の名称情報を探すのにかかる時間や手間を削減することができる。
【図面の簡単な説明】
【００２８】
【図１】本発明の第一の実施形態に係る通信装置の構成を示すブロック図である。
【図２】本発明の電話システムの構成を示すブロック図である。
【図３】本発明の第一の実施形態に係る電話帳表示処理を示すフロー図である。
【図４】本発明の第一の実施形態に係る電話帳表示処理を示すフロー図である。
【図５】本発明の電話帳画面の一例を示す画面図である。
【図６】本発明の電話帳画面の一例を示す画面図である。
【図７】本発明の電話帳画面の一例を示す画面図である。
【図８】本発明の第二の実施形態に係る通信装置の構成を示すブロック図である。
【図９】本発明の第二の実施形態に係る電話帳表示処理を示すフロー図である。
【図１０】本発明の第二の実施形態に係る電話帳表示処理を示すフロー図である。
【図１１】従来技術の電話帳画面を示す画面図である。
【発明を実施するための形態】
【００２９】
以下に本発明の第一の実施形態を、図面を参照しながら説明する。なお、ここで示す実施形態は一例であり、本発明はここに示す実施形態に限定されるものではない。
〈１−１．電話システムの構成について〉
図２は、本発明の第一の実施形態に係るＩＰ電話１（＝通信装置）が含まれる電話システムの構成を示すブロック図である。本システムは少なくとも、ＩＰ電話１、有線ＬＡＮ４１（＝通信網）、ＰＳＴＮ網５１、加入者電話機５２、ＳＩＰサーバ６１、ＩＰ電話ルータ６２、ゲートウェイ６３、及びＩＰ電話網７１を含むように構成されている。
【００３０】
本実施形態のＩＰ電話１は、有線ＬＡＮ４１に接続されることにより、電話網を介した音声通信が可能な通信装置である。有線ＬＡＮ４１は、ＩＰ電話１、ＩＰ電話ルータ６２、及びゲートウェイ６３等が有線接続されたローカルのネットワークである。前記の各装置は有線ＬＡＮ４１に接続されることにより、相互に通信が可能となっている。なお、有線ＬＡＮ４１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００３１】
ＳＩＰサーバ６１は、有線ＬＡＮ４１におけるＩＰ電話通信の制御を、ＳＩＰを用いて行う通信制御装置である。ＳＩＰは、転送機能や発信者番号通知機能等を備えた通話制御プロトコルの一種であり、同系統のプロトコルと比較して接続にかかる時間が短いという特徴を持つ。ＳＩＰサーバは、ＩＰ電話１等のＳＩＰクライアントがアドレスを登録するレジスタサーバ、クライアントに代わってアドレスを検索するプロキシサーバ、クライアントから受け取った接続要求を別のアドレスに転送するリダイレクトサーバ等の機能を備えている。
【００３２】
ＩＰ電話ルータ６２は、複数のＩＰネットワークを相互接続するためのネットワーク中継装置である。具体的には、ＯＳＩ（Ｏｐｅｎ  Ｓｙｓｔｅｍｓ  Ｉｎｔｅｒｃｏｎｎｅｃｔｉｏｎ）参照モデルでいうネットワーク層（第３層）やトランスポート層（第４層）の一部のプロトコルを解析して転送を行う。本実施形態では、ＩＰ電話ルータ６２は有線ＬＡＮ４１とＩＰ電話網７１との二つのＩＰネットワークを相互に接続する役割を持つ。
【００３３】
ゲートウェイ６３は、プロトコル体系が異なるネットワーク間を相互接続するためのプロトコル変換器である。ゲートウェイ６３は例えば、有線ＬＡＮ４１とＰＳＴＮ網５１とを接続し、ＳＩＰ等のシグナリングプロトコルを用いてシグナル変換を行うことにより、両ネットワーク間での通信を可能とする。
【００３４】
ＩＰ電話網７１は、電話網の一部もしくは全てにＶｏＩＰ(Voice over Internet Protocol)技術を利用した通信網である。用いる通信回線としてはＦＴＴＨ(Fiber To The Home)やＡＤＳＬ(Asymmetric Digital Subscriber Line)等の、いわゆるブロードバンド回線が利用される。なおＶｏＩＰとは、音声を各種符号化方式で圧縮してパケットに変換し、ＩＰネットワークでリアルタイム伝送する技術である。これによりＩＰ電話網７１は音声通話サービスの他、画像の送受信を行うテレビ電話サービス等も提供可能である。
〈１−２．ＩＰ電話の内部構成について〉
図１は、本発明の第一の実施形態に係るＩＰ電話１の内部を示すブロック図である。ＩＰ電話１は、電話帳機能を備えた通信装置である。ＩＰ電話１は少なくとも、制御部１１、メモリ１２、表示部１３、入力部１４、通信部１５、フラッシュメモリ１６（＝記録部）、信号処理部１７、スピーカ１８、及びマイク１９を含むように構成されている。
【００３５】
制御部１１は、ＩＰ電話１の各部を制御することにより通信制御処理（音声情報の送受信、発信の実施、或いは着信の検知等）を統括制御するための中央処理装置である。また制御部１１は、制御部１１が備える演算処理装置上でプログラムを実行することにより実現される機能部として、履歴情報生成部１１ａ、及び表示制御部１１ｂを備えている。
【００３６】
履歴情報生成部１１ａは、通信部１５が実施した通信の履歴から通信履歴情報を生成し、フラッシュメモリ１６に記録する。通信履歴情報には例えば、音声通話による発呼履歴や着呼履歴、さらには電子メールの送受信履歴等が含まれる。各履歴には、通信を実施した時刻や、通信相手の電話番号又はメールアドレス等が含まれる。
【００３７】
また履歴情報生成部１１ａは、通信履歴情報を生成する際に、過去に発生した通信相手毎の発呼回数、着呼回数、又はメール送受信回数等の累積回数（＝通信実施回数）を、通信履歴情報に含めて記録する。なお累積回数はユーザが所定の初期化操作などを実行しない限り、継続的に加算されていくものとする。
【００３８】
表示制御部１１ｂは、フラッシュメモリ１６に記録されている電話帳情報（＝通信相手情報）に含まれる名称情報を、表示部１３に一覧表示する。名称情報とは通信相手の名称を示すものであり、例えば氏名や会社名等がこれに該当する。表示制御部１１ｂは、動作の異なる第一動作モード及び第二動作モードのいずれかで動作する。なお動作モードの変更は、入力部１４等により所定の操作を受け付けた場合、例えば機能キーや十字キーの押下を検知した場合等に行う。
【００３９】
第一動作モードは、通信履歴情報が示す通信相手毎の通信実施回数に基づいて決定した表示順で、名称情報を一覧表示するモードである。これにより例えば、通信実施回数が多い順や、通信実施回数が少ない順等で、電話帳情報に含まれている全ての名称情報を一覧表示する。
【００４０】
第二動作モードは、電話帳情報に含まれている全ての名称情報を、予め定められた区分、例えば五十音を一つの子音でまとめたア行（あ、い、う、え、お）やカ行（か、き、く、け、こ）のような行による区分（以下、「行区分」という）に分別する。そして行区分の指定を受け付ける。指示された行区分に含まれる名称情報は、通信履歴情報が示す通信実施回数に基づいて決定した表示順で、一覧表示される。例えば、ア行が選択された場合、あ〜おで始まる氏名が、発呼回数順等により一覧表示される。
【００４１】
メモリ１２は、ＩＰ電話１が保持する各種情報を一時的に記録する媒体である。メモリ１２は制御部１１によって各種通信制御処理が行われる際の処理情報や、ユーザから受けた指示命令等を一時的に記録しておくためのバッファメモリとしての役割を持つ。
【００４２】
表示部１３は、ＩＰ電話１が保持する各種情報、例えば着信時における発信側電話番号等をユーザに対して表示する。表示部１３は例えば、液晶パネル等の小型で消費電力の少ない表示装置を用いる。入力部１４は、ユーザがＩＰ電話１を用いて通信を行うための各種操作、例えば通話を行う相手の電話番号の入力等を行うためのものである。入力部１４は通常、数字ボタンやリダイヤルボタン等の複数の操作ボタンから構成されている。
【００４３】
通信部１５は、ＩＰ電話１を電話回線に接続するための通信インタフェースである。通信部１５は、ネットワークに接続されたＳＩＰサーバ６１と通信を行うことにより、音声通話の着信処理や発信処理等を実施することが可能である。
【００４４】
フラッシュメモリ１６は、電話帳情報を記録する不揮発性の記録媒体である。またフラッシュメモリ１６は、履歴情報生成部１１ａが生成した通信履歴情報を記録するのに用いられる。
【００４５】
信号処理部１７は、通信部１５により入力された音声情報の復号処理を行う。復号により得られた音声信号はスピーカ１８に与えられる。また信号処理部１７は、マイク１９より入力された音声信号に所定の符号化処理を施して音声情報を作成し、通信部１５に与える。これにより音声情報は、ＰＳＴＮ網５１を介して接続される外部の通信装置等に送信される。
〈１−３．電話帳画面について〉
ここで、本発明の第一の実施形態に係る電話帳画面７０の構成を、図５〜図７の画面図を用いながら説明する。
【００４６】
図５は、第一動作モードで動作中の表示制御部１１ｂが表示する電話帳画面７０の一例を示した画面図である。電話帳画面７０は少なくとも、区分表示領域７１と、名称表示領域７２とを含むように構成されている。区分表示領域７１は、複数の名称情報を予め定められた区分に分けた区分情報を示す領域であり、本実施例では行区分における各行の先頭文字（「あ」、「か」等）が区分情報として表示されている。
【００４７】
名称表示領域７２は電話帳情報に含まれる名称情報を、所定の規則に則って表示するための領域である。本実施形態の名称表示領域７２は、その左領域に名称情報を、右領域に名称情報が示す通信相手毎の発呼回数を表示している。なお発呼回数は、フラッシュメモリ１６に記録されている通信履歴情報に基づいて表示する。
【００４８】
図５は、第一動作モードにおける電話帳画面７０の一例であるため、発呼回数の多い順に名称情報が表示されている。この状態でユーザは、入力部１４に含まれる十字キー（＝選択キー）を上下に操作することにより、カーソル８１を上下に移動させることが可能である。この状態で入力部１４に含まれる発呼ボタンが押下されると、カーソル８１があわさっている名称情報が示す通信相手への発呼が行われる。
【００４９】
図５の状態で、入力部１４に含まれる機能ボタン、又は十字キーの左右ボタンが押下されると、図６に示す電話帳画面７０へ移行する。図６は、第二動作モードの電話帳画面７０の一例を示した画面図である。第一動作モードと同様、区分表示領域７１と、名称表示領域７２とが含まれているが、その表示内容が異なる。名称表示領域７２には、区分表示領域７１でカーソル８２があわさっている区分情報に対応する名称情報が、発呼回数順に表示される。
【００５０】
例えば図６は、カーソル８２がア行の区分情報にあわさっている状態を示しているため、頭文字がア行である名称情報のみが、名称表示領域７２に発呼回数順で表示されている。従ってその他の行の名称情報は、これより発呼回数が多くとも表示されない。図６の状態においてユーザが十字キーを上下に操作すると、カーソル８１が上下に移動する。また図５の状態と同様、発呼ボタンを押下することにより、カーソル８１があわさっている名称情報が示す通信相手へ発呼が行われる。
【００５１】
図６の状態において十字キーが左右に操作されると、カーソル８２が左右に移動し、表示する区分が変更される。例えば図７は、図６の状態において十字キーの右が一回押下された場合に表示される電話帳画面７０を示している。つまりア行の右隣である、カ行の名称情報が発呼回数順に表示されている。なお、この状態でさらに十字キーの右が一回押下されると、サ行の名称情報が表示される。また、十字キーの左が一回押下されると、再びア行の名称情報が表示される。
〈１−４．電話帳表示処理について〉
ここで、本発明の第一の一実施形態に係るＩＰ電話１の電話帳表示処理を、図３及び図４のフロー図を用いながら説明する。
【００５２】
図３は、本発明の第一の実施形態に係る電話帳表示処理の処理フローを示したフロー図である。本処理は、ＩＰ電話１の電源が起動され、且つ電話帳表示指示が検知された場合において開始される。なお電話帳表示指示は、例えば入力部１４に含まれる電話帳ボタンが押下された場合や、メインメニュー画面で電話帳表示アイコンが選択された場合等に発行される。
【００５３】
本処理の開始後、表示制御部１１ｂはステップＳ１１０において、履歴情報生成部１１ａが予め生成してフラッシュメモリ１６に記録した通信履歴情報を読み出す。そして通信履歴情報に含まれる通信相手毎の発呼回数を参照し、発呼回数の多い順から通信相手の氏名情報を表示部１３に表示する。この結果、例えば図５に示す電話帳画面７０が表示される。
【００５４】
次に表示制御部１１ｂはステップＳ１２０において、入力部１４に含まれる機能キーが押下されたか否かを判定する。なお機能キーとは、運用の形態に合わせて各種機能を割り当てることが可能なキーであり、本実施形態では第一動作モードと第二動作モードの切り替えに用いるものとする。
【００５５】
機能キーの押下が検知された場合、後述する区分毎の発呼順表示処理（図４）へ移行する。機能キーの押下が検知されていない場合、表示制御部１１ｂはステップＳ１３０において、入力部１４に含まれる左右キーが押下されたか否かを判定する。なお左右キーは、十字キーの一部として存在する形態でもよいし、個別に存在する形態でもよい。
【００５６】
左右キーの押下が検知された場合、後述する区分毎の発呼順表示処理（図４）へ移行する。左右キーの押下が検知されていない場合、表示制御部１１ｂはステップＳ１４０において、入力部１４に含まれる上下キーが押下されたか否かを判定する。なお上下キーは、十字キーの一部として存在する形態でもよいし、個別に存在する形態でもよい。
【００５７】
上下キーの押下が検知されていない場合、後述するステップＳ１５０に移行する。上下キーの押下が検知された場合、表示制御部１１ｂはステップＳ１４５において、カーソル８１の上下移動を行う。例えば図５に示す状態の電話帳画面７０において下キーが押下された場合、カーソル８１は「河村」から「秋山」の位置へ移動する。
【００５８】
次に表示制御部１１ｂはステップＳ１５０において、入力部１４に含まれる発呼キーが押下されたか否かを判定する。発呼キーの押下が検知されていない場合、ステップＳ１２０へ移行する。発呼キーの押下が検知された場合、制御部１１はステップＳ１６０において、表示中の電話帳画面７０においてカーソル８１があわさっている名称情報に対応する通信相手へ発呼処理を行った後、本処理を終了する。
【００５９】
次に、ステップＳ１２０又はステップＳ１３０から移行可能である、区分毎の発呼順表示処理について、図４のフロー図を用いながら説明する。本処理の開始後、表示制御部１１ｂはステップＳ２１０において、所定の行区分の電話帳情報を、発呼回数順に一覧表示する。例えば図６に示すように、ア行の電話帳情報を発呼回数順に表示する。次に表示制御部１１ｂはステップＳ２２０において、入力部１４に含まれる機能キーが押下されたか否かを判定する。
【００６０】
機能キーの押下が検知された場合、通常の発呼順表示処理（図３）へ移行する。機能キーの押下が検知されていない場合、表示制御部１１ｂはステップＳ２３０において、入力部１４に含まれる左右キーが押下されたか否かを判定する。
【００６１】
左右キーの押下が検知されていない場合、後述するステップＳ２４０に移行する。左右キーの押下が検知された場合、表示制御部１１ｂはステップＳ２３５において、隣接行の電話帳情報を発呼回数順に一覧表示する。例えば右キーが押下された場合、図６に示すア行の電話帳画面７０から、図７に示すカ行の電話帳画面７０へ移行する。
【００６２】
次に、表示制御部１１ｂはステップＳ２４０において、入力部１４に含まれる上下キーが押下されたか否かを判定する。上下キーの押下が検知されていない場合、後述するステップＳ２５０に移行する。上下キーの押下が検知された場合、表示制御部１１ｂはステップＳ２４５において、カーソル８１の上下移動を行う。
【００６３】
次に表示制御部１１ｂはステップＳ２５０において、入力部１４に含まれる発呼キーが押下されたか否かを判定する。発呼キーの押下が検知されていない場合、ステップＳ２２０へ移行する。発呼キーの押下が検知された場合、制御部１１はステップＳ２６０において、表示中の電話帳画面７０においてカーソル８１があわさっている名称情報に対応する通信相手へ発呼処理を行った後、本処理を終了する。
【００６４】
以上に説明した本実施形態によれば、行区分に基づいて相手名称を表示する電話帳画面７０（図６及び図７）において、発呼回数の多い順、つまり通信を頻繁に行う順に並べ替えて表示することが可能である。また表示する行区分を、左右キーを用いて適宜変更することが可能である。このため、表示する行区分が変わったとしても、行毎に通信実施回数の多い順で、通信相手の名称情報を参照することが可能である。
【００６５】
このため例えば、図５に示すような全名称情報が発呼回数順で表示されている状態において、検索対象が発呼回数の比較的少ない通信相手だとユーザが気付いた場合に、図６又は図７に示す電話帳画面７０を表示して通信相手を探すことにより、検索操作をより効率的に行うことができる。
【００６６】
次に、本発明の第二の実施形態を、図面を参照しながら説明する。
〈２−１．電話システムの構成について〉
第一の実施形態と同様であるため、説明を省略する。
〈２−２．ＩＰ電話の内部構成について〉
装置構成は第一の実施形態と同様であるが、表示制御部１１ｂの機能が一部異なる。また図８に示すように、制御部１１が設定部１１ｃを備えている。
【００６７】
第二の実施形態の表示制御部１１ｂは、機能キーが押下された場合に加え、テンキーが押下された場合にも、第二動作モードへ移行する。また押下されたテンキーの種別に応じて、表示する行区分を決定する。
【００６８】
具体的には例えば、テンキーの「１」ボタンが押下された場合はア行を、「２」ボタンが押下された場合はカ行の電話帳情報を表示すると、予め取り決めを行っておく。これによりユーザは、左右キーを複数回押して所望の行区分を選択する代わりに、所望の行区分に対応するテンキーを一回押すだけで、該当する行区分の電話帳情報を表示することが可能である。
【００６９】
設定部１１ｃは、表示制御部１１ｂが第二動作モードへの移行するのを許可するか否かの設定を、入力部１４等により受け付ける。設定部１１ｃにより移行禁止されている状態において表示制御部１１ｂが第二動作モードへの移行指示を受けると、名称情報を所定の表示順、例えば五十音順で一覧表示する。つまり通信実施回数に基づいた表示順での一覧表示を行わない。
〈２−３．電話帳画面について〉
第一の実施形態と同様であるため、説明を省略する。
〈２−４．電話帳表示処理について〉
ここで、本発明の第二の実施形態に係るＩＰ電話１の電話帳表示処理を、図９〜図１０を用いながら説明する。なお、第一の実施形態と同内容の処理については、同一の番号を付加することにより説明を省略するものとする。
【００７０】
図９は、本発明の第二の実施形態に係る電話帳表示処理の処理フローを示したフロー図である。ステップＳ１１０〜ステップＳ１２０、及びステップＳ１４０〜ステップＳ１６０については、第一の実施形態の図３と同内容である。
【００７１】
ステップＳ１２０において機能キーの押下が検知されなかった場合、表示制御部１１ｂはステップＳ１３１において、入力部１４に含まれるテンキーが押下されたか否かを判定する。テンキーの押下が検知された場合、ステップＳ１３５に移行する。
【００７２】
表示制御部１１ｂはステップＳ１３５において、第二動作モードでの動作が設定部１１ｃにより許可されているか否かを判定する。許可されていない場合、行区分毎の電話帳情報を従来技術と同様の方法、例えば五十音順で表示する。この結果、例えば図１１に示すように、ア行の電話帳情報が五十音順に表示される。
【００７３】
ステップＳ１３５において第二動作モードでの動作が設定部１１ｃにより許可されている場合、次に説明する区分毎の発呼順表示処理の処理フローへ移行する。
【００７４】
図１０は、第二の実施形態に係る、区分毎の発呼順表示処理を示す処理フローである。本処理の開始後、表示制御部１１ｂはステップＳ２１１において、上述のステップＳ１３１において押下されたテンキーに対応する行区分の電話帳情報を、発呼回数順に一覧表示する。
【００７５】
例えばステップＳ１３１において「１」キーが押下されていた場合、図６に示すように、ア行の電話帳情報を発呼回数順に表示する。或いは「２」キーが押下されていた場合、図７に示すように、カ行の電話帳情報を発呼回数順に表示する。次に表示制御部１１ｂはステップＳ２２０において、入力部１４に含まれる機能キーが押下されたか否かを判定する。
【００７６】
機能キーの押下が検知された場合、通常の発呼順表示処理（図１０）へ移行する。機能キーの押下が検知されていない場合、表示制御部１１ｂはステップＳ２３１において、入力部１４に含まれるテンキーが押下されたか否かを判定する。
【００７７】
テンキーの押下が検知されていない場合、ステップＳ２４０に移行する。テンキーの押下が検知された場合、表示制御部１１ｂはステップＳ２１１に移行し、押下されたテンキーに対応する行区分の電話帳情報を発呼回数順に一覧表示する。なおステップＳ２４０〜ステップＳ２６０については、第一の実施形態の図４と同内容であるため、説明を省略する。
【００７８】
以上に説明した本実施形態によれば、テンキーを用いることにより、表示したい行区分を容易に指定することが可能である。また行区分による電話帳表示を行う場合に、発呼回数の多い順、つまり通信を頻繁に行う順に並べ替えて表示するか否かを、予めユーザ設定により指定することが可能である。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７９】
従って本発明は、以下の形態にも適用可能である。
【００８０】
（Ａ）上記実施形態では、表示制御部１１ｂが動作モードの切り替えを行うタイミングとして、入力部１４による所定操作の検知を例に説明を行ったが、これ以外のタイミングにおいて動作モードの切り替えを行う形態でもよい。例えば、計時部（不図示）が計時する時刻によって動作モードを変更したり、通信履歴情報の数によって動作モードを変更する（例えば通信履歴情報が少ない場合は第二動作モードで動作しないようにする等）形態でもよい。
【００８１】
（Ｂ）上記実施形態では、電話帳表示処理に関わる機能部及び情報がＩＰ電話１の内部に備わっている構成を例として説明したが、これらの一部が電話網やＬＡＮ等のネットワークを介して接続された外部装置により実現される形態であってもよい。例えば、電話帳情報がフラッシュメモリ１６ではなく、ネットワーク上に存在する情報処理装置（ネットワークサーバ等）に記録されている形態であってもよい。これにより例えば、複数のＩＰ電話１が参照する電話帳情報を一括して変更することが可能である。従って、一台毎に電話帳情報の内容を変更する手間を省くことができる。
【００８２】
（Ｃ）上記の実施形態では、本発明の電話帳表示機能を備えた通信装置としてＩＰ電話１を例にあげているが、電話通信網に接続して通信可能な通信装置であれば、これ以外の装置において本発明を実施する形態でもよい。例えば、携帯電話、親子電話、インターネット電話、自動車電話、ＰＤＡやノートパソコン上で実行される通信アプリケーション等において実施する形態であってもよい。
【００８３】
（Ｄ）上記の実施形態では、本発明の電話帳表示機能に関わるＩＰ電話１の各種機能部が、マイクロプロセッサ等の演算処理装置上でプログラムを実行することにより実現されているが、各種機能部が複数の回路により実現される形態でもよい。
【００８４】
（Ｅ）上記の第二動作モードでは、電話帳画面７０において五十音の各行毎に通信相手の名称情報を表示しているが、名称情報を他の区分により表示してもよい。例えば名称情報が英語で示されている場合、氏名の先頭文字のアルファベットを区分として、名称情報を表示する形態でもよい。これにより例えば、氏名が「Ａ」で始まる通信相手のみを、発呼回数順で表示することが可能である。
【００８５】
（Ｆ）上記の第二動作モードでは、電話帳画面７０において発呼回数順に並び替えを行っているが、着呼回数順やメール送受信回数順、ＳＭＳ（Short Message Service）送受信回数順等の、他の通信実施回数順に基づいて並び替えを行う形態でもよい。また、各通信実施回数を合計した順に並び替えを行う形態でもよい。例えば発呼回数、メール送信回数、及びＳＭＳ送信回数を合計した合計回数を算出し、この合計回数の多い順に並び替えを行う形態でもよい。
【００８６】
（Ｇ）上記の実施形態では第一動作モード及び第二動作モードにおいて、通信相手を発呼回数の多い順で表示しているが、発呼回数の少ない順に表示する形態でもよい。さらに、多い順／少ない順の切り替えを所定ボタンで実施できるようにしたり、予め設定画面で表示方式を設定可能としたりする形態でもよい。
【００８７】
（Ｈ）電話帳メモリに格納されている氏名をあいうえお順に表示するか通信回数順（例えば発呼回数順）に表示するかをユーザが選択可能としても良い。この場合、電話帳を表示する際に通信回数順にするかあいうえお順にするかをユーザが予め設定する方法や、電話帳表示する際にユーザがキー操作を行うことにより、どちらで表示するかを切替える方法が考えられる。
【００８８】
（■）また、電話帳メモリに格納されている全ての氏名を一覧で表示するか、あ行
〜わ行の各行ごとに一覧で表示するかをユーザが選択可能としても良い。この場合、全ての氏名を一覧で表示する場合に通信回数順或いはあいうえお順で表示しても良いし、各行ごとに一覧で表示する場合に通信回数順或いはあいうえお順で表示しても良い。又、これら表示形態を切替えることが可能としても良い。
【符号の説明】
【００８９】
１      ＩＰ電話（通信装置）
１１ａ  履歴情報生成部
１１ｂ  表示制御部
１１ｃ  設定部
１２    メモリ
１３    表示部
１４    入力部
１５    通信部
１６    フラッシュメモリ（＝記録部）
【図１】
2010200095.tif 000003
【図２】
2010200095.tif 000004
【図３】
2010200095.tif 000005
【図４】
2010200095.tif 000006
【図５】
2010200095.tif 000007
【図６】
2010200095.tif 000008
【図７】
2010200095.tif 000009
【図８】
2010200095.tif 000010
【図９】
2010200095.tif 000011
【図１０】
2010200095.tif 000012
【図１１】
2010200095.tif 000013